【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
画像（２０）が中に符号化されるビットストリーム（３０）を復号するように構成された装置であって、前記画像のサンプル配列は、ブロックに分割され、前記装置は、現在のブロックに関して、前記現在のブロックと関連した符号化パラメータが、統合候補に従って統合によりセットされることになるか、または、前記ビットストリーム（３０）から取り出されることになるかについての第１の決定、および、前記画像（２０）の前記現在のブロック（４０）が、いかなる残差データもなしで、前記現在のブロック（４０）と関連した前記符号化パラメータに応じた予測信号のみに基づいて再構築されることになるか、または、前記ビットストリーム（３０）の中の残差データによって、前記現在のブロック（４０）と関連した前記符号化パラメータに応じた前記予測信号をリファインすることによって再構築されることになるかについての第２の決定に関する前記ビットストリーム（３０）の中のフラグに共通に応答するように構成され、
その結果、前記装置は、
前記ビットストリーム（３０）の中の前記フラグが、前記現在のブロック（４０）と関連した前記符号化パラメータが統合候補に従ってセットされることになることをシグナリングする場合、
統合候補に従って前記現在のブロック（４０）と関連した前記符号化パラメータをセットすることによって前記現在のブロック（４０）と関連した前記符号化パラメータが得られるように統合を実行し、かつ、前記現在のサンプルセット（４０）と関連した前記符号化パラメータを得て、いかなる残差データもなしで、前記符号化パラメータに応じた予測信号のみに基づいて前記画像（２０）の前記現在のサンプルセット（４０）を再構築し、かつ、
前記現在のサンプルセットのためのサポートされた分割パターンの中の所定の１つを適用し、
前記ビットストリームの中の前記フラグが、前記現在のサンプルセットと関連した前記符号化パラメータが統合候補に従ってセットされることになることをシグナリングしない場合、
前記現在のサンプルセットのための前記サポートされた分割パターンの１つをシグナリングする前記ビットストリームの中の分割情報に応答するように、構成されることを特徴とする、装置。
【請求項２】
前記サポートされた分割パターンの中の前記所定の１つは、非分割モードであり、前記装置は、前記装置が、
前記ビットストリームの中の前記フラグが、前記現在のブロックと関連した前記符号化パラメータが統合候補に従ってセットされることになることをシグナリングする場合、
統合候補に従ってそれをセットすることによって前記現在のブロックと関連した符号化パラメータを得て、いかなる残差データもなしで、前記符号化パラメータに応じた予測信号のみに基づいて、前記画像の前記現在のブロックを再構築するように、そして、
前記ビットストリームの中の前記フラグが、前記現在のブロックと関連した前記符号化パラメータが統合候補に従ってセットされることになることをシグナリングしない場合、
前記現在のブロックのための前記サポートされた分割パターンのうちの１つをシグナリングする前記ビットストリームの中の分割情報に応答し、
前記ビットストリームから前記現在のブロックのための残差データを得て、
前記現在のブロックの前記シグナリングされたサポートされた分割パターンの各サブブロックに関して、前記復号器が、前記他のフラグに応じて、前記ビットストリーム内で他のフラグに応答し、
統合候補に従ってそれをセットすることによって前記各サブブロックと関連した符号化パラメータを得る、または、
前記ビットストリームから、前記各サブブロックと関連した前記符号化パラメータを抽出するように、
各サブブロックの前記符号化パラメータに応じた予測信号および前記残差データに基づいて、前記画像の前記現在のブロックを再構築するように構成されることを特徴とする、請求項１に記載の装置。
【請求項３】
前記装置は、
前記シグナリングされたサポートされた分割パターンが２つ以上のサブブロックへの前記現在のブロックの細分化を特定する場合、
符号化順で前記サブブロックの１番目のサブブロック以外の全てのサブブロックに関して、
前記各サブブロックについての統合候補のセットから、
前記各サブブロックと統合されるときに、前記サポートされた分割パターンのうちの１つとなるであろう、前記サブブロックのいずれかと関連した符号化パラメータと同じである符号化パラメータを有する統合候補を除去するように構成されることを特徴とする、
請求項２に記載の復号器。
【請求項４】
前記画像は、深度マップを特定する付加的な補助サンプルアレイと関連することを特徴とする、請求項１〜３のいずれかに記載の装置。
【請求項５】
前記画像は、付加情報として深度マップと関連付けられていることを特徴とする、請求項１に記載の装置。
【請求項６】
情報サンプルの前記配列は、互いに独立して符号化された前記画像の異なる平面に関連した前記サンプル配列の１つであることを特徴とする請求項１に記載の装置。
【請求項７】
画像（２０）が中に符号化されるビットストリーム（３０）を復号するための方法であって、前記画像のサンプル配列は、ブロックに分割され、前記方法は、前記方法を実行するようにプログラムされたコンピュータにより実行され、前記方法は、現在のブロックに関して、前記現在のブロックと関連した符号化パラメータが、統合候補に従って統合によりセットされることになるか、または、前記ビットストリーム（３０）から取り出されることになるかについての第１の決定、および、前記画像（２０）の前記現在のブロック（４０）が、いかなる残差データもなしで、前記現在のブロック（４０）と関連した前記符号化パラメータに応じた予測信号のみに基づいて再構築されることになるか、または、前記ビットストリーム（３０）の中の残差データによって、前記現在のブロック（４０）と関連した前記符号化パラメータに応じた前記予測信号をリファインすることによって再構築されることになるかについての第２の決定に関する、前記ビットストリーム（３０）の中のフラグに共通に反応するステップを含み、
その結果、
前記ビットストリーム（３０）の中の前記フラグが、前記現在のブロック（４０）と関連した前記符号化パラメータが統合候補に従ってセットされることになることをシグナリングする場合、
統合候補に従って前記現在のブロック（４０）と関連した前記符号化パラメータをセットすることによって前記現在のブロック（４０）と関連した前記符号化パラメータが得られるように統合が実行され、かつ、いかなる残差データもなしで、前記符号化パラメータに応じた予測信号のみに基づいて前記画像（２０）の前記現在のブロック（４０）を再構築し、かつ、
前記現在のサンプルセットにサポートされた分割パターンの中の所定の１つを適用し、
前記ビットストリームの中の前記フラグが、前記現在のサンプルセットと関連した前記符号化パラメータが統合候補に従ってセットされることになることをシグナリングしない場合、
前記現在のサンプルセットのための前記サポートされた分割パターンの１つをシグナリングする前記ビットストリームの中の分割情報に応答するように、構成されることを特徴とする、方法。
【請求項８】
前記サポートされた分割パターンの中の前記所定の１つは、非分割モードであり、前記方法は、
前記ビットストリームの中の前記フラグが、前記現在のブロックと関連した前記符号化パラメータが統合候補に従ってセットされることになることをシグナリングする場合、
統合候補に従ってそれをセットすることによって前記現在のブロックと関連した符号化パラメータを得て、いかなる残差データもなしで、前記符号化パラメータに応じた予測信号のみに基づいて、前記画像の前記現在のブロックを再構築するように、そして、
前記ビットストリームの中の前記フラグが、前記現在のブロックと関連した前記符号化パラメータが統合候補に従ってセットされることになることをシグナリングしない場合、
前記現在のブロックのための前記サポートされた分割パターンのうちの１つをシグナリングする前記ビットストリームの中の分割情報に応答し、
前記ビットストリームから前記現在のブロックのための残差データを得て、
前記現在のブロックの前記シグナリングされたサポートされた分割パターンの各サブブロックに関して、前記復号器が、他のフラグに応じて、前記ビットストリーム内で他のフラグに応答し、
統合候補に従ってそれをセットすることによって前記各サブブロックと関連した符号化パラメータを得る、または、
前記ビットストリームから、前記各サブブロックと関連した前記符号化パラメータを抽出するように、
各サブブロックの前記符号化パラメータに応じた予測信号および前記残差データに基づいて、前記画像の前記現在のブロックを再構築することを含むことを特徴とする、請求項７に記載の方法。
【請求項９】
前記画像は、深度マップを特定する付加的な補助サンプルアレイと関連することを特徴とする、請求項７または８に記載の方法。
【請求項１０】
ビットストリーム（３０）に画像（２０）を符号化するための装置であって、前記画像（２０）のサンプル配列は、ブロック（４０）に分割され、前記装置は、現在のブロックに関して、前記現在のブロック（４０）と関連した符号化パラメータが、統合候補に従って統合によってセットされることになるか、または、前記ビットストリーム（３０）から取り出されることになるかに関して、および、前記画像（２０）の前記現在のブロック（４０）が、いかなる残差データもなしで、前記現在のブロック（４０）と関連した前記符号化パラメータに応じた予測信号のみに基づいて再構築されることになるか、または、前記ビットストリーム（３０）の中の残差データによって前記現在のブロック（４０）と関連した前記符号化パラメータに応じた前記予測信号をリファインすることによって再構築されることになるかに関して、共通にシグナリングする前記ビットストリームの中のフラグを符号化するように構成され、
その結果、前記装置は、
前記ビットストリーム（３０）の中の前記フラグが、前記現在のブロック（４０）と関連した前記符号化パラメータが統合候補に従ってセットされることになることをシグナリングする場合、
統合候補に従って前記現在のブロック（４０）と関連した前記符号化パラメータをセットし、いかなる残差データもなしで、前記符号化パラメータに応じた予測信号のみに基づいて前記画像（２０）の前記現在のブロック（４０）を再構築するように前記統合を活性化し、かつ、
前記現在のサンプルセットにサポートされた分割パターンの中の所定の１つを適用し、
前記ビットストリームの中の前記フラグが、前記現在のサンプルセットと関連した前記符号化パラメータが統合候補に従ってセットされることになることをシグナリングしない場合、
前記現在のサンプルセットのための前記サポートされた分割パターンの１つをシグナリングする前記ビットストリームの中に分割情報を挿入するように、構成されることを特徴とする、装置。
【請求項１１】
前記サポートされた分割パターンの中の前記所定の１つは、非分割モードであり、前記装置は、前記装置が、
前記ビットストリームの中の前記フラグが、前記現在のブロックと関連した前記符号化パラメータが統合候補に従ってセットされることになることをシグナリングする場合、
統合候補に従ってそれをセットすることによって前記現在のブロックと関連した符号化パラメータを得て、いかなる残差データもなしで、前記符号化パラメータに応じた予測信号のみに基づいて、前記画像の前記現在のブロックを符号化するように、そして、
前記ビットストリームの中の前記フラグが、前記現在のブロックと関連した前記符号化パラメータが統合候補に従ってセットされることになることをシグナリングしない場合、
前記現在のブロックのための前記サポートされた分割パターンのうちの１つをシグナリングする前記ビットストリームの中に前記分割情報を挿入し、
前記ビットストリームに前記現在のブロックのための残差データを挿入し、
前記現在のブロックの前記シグナリングされたサポートされた分割パターンの各サブブロックに関して、それをシグナリングするビットストリームに他のフラグを挿入し、他のフラグに応じて、
統合候補に従ってそれをセットすることによって前記各サブブロックと関連した符号化パラメータが得られ、または、
前記各サブブロックと関連した前記符号化パラメータが前記ビットストリームに挿入され、
各サブブロックの前記符号化パラメータに応じた予測信号および前記残差データに基づいて、前記画像の前記現在のブロックを符号化するように構成されることを特徴とする、請求項１０に記載の装置。
【請求項１２】
前記画像は、深度マップを特定する付加的な補助サンプルアレイと関連することを特徴
とする、請求項１０または１１に記載の装置。
【請求項１３】
前記画像は、付加情報として深度マップと関連付けられていることを特徴とする、請求項１０に記載の装置。
【請求項１４】
情報サンプルの前記配列は、互いに独立して符号化された前記画像の異なる平面に関連した前記サンプル配列の１つであることを特徴とする請求項１０に記載の装置。
【請求項１５】
ビットストリーム（３０）に画像（２０）を符号化するための方法であって、前記画像（２０）の前記サンプル配列は、ブロック（４０）に分割され、前記方法は、前記方法を実行するようにプログラムされたコンピュータにより実行され、前記方法は、現在のブロックに関して、前記現在のブロック（４０）と関連した符号化パラメータが、統合候補に従って統合によりセットされることになるか、または、前記ビットストリーム（３０）から取り出されることになるかに関して、および、前記画像（２０）の前記現在のブロック（４０）が、いかなる残差データもなしで、前記現在のブロック（４０）と関連した前記符号化パラメータに応じた予測信号のみに基づいて、再構築されることになるか、または、前記ビットストリーム（３０）の中の残差データによって、前記現在のブロック（４０）と関連した前記符号化パラメータに応じた前記予測信号をリファインすることによって、再構築されることになるかに関して、共通にシグナリングする前記ビットストリームの中のフラグを符号化するステップを含み、
その結果、
前記ビットストリーム（３０）の中の前記フラグが、前記現在のブロック（４０）と関連した前記符号化パラメータが統合候補に従ってセットされることになることをシグナリングする場合、
統合候補に従って前記現在のブロック（４０）と関連した前記符号化パラメータがセットされるように統合が実行され、かつ、いかなる残差データもなしで、前記符号化パラメータに応じた予測信号のみに基づいて前記画像（２０）の前記現在のサンプルセット（４０）を再構築し、かつ、
前記現在のサンプルセットにサポートされた分割パターンの中の所定の１つが適用され、
前記ビットストリームの中の前記フラグが、前記現在のサンプルセットと関連した前記符号化パラメータが統合候補に従ってセットされることになることをシグナリングしない場合、
前記現在のサンプルセットのための前記サポートされた分割パターンの１つをシグナリングする前記ビットストリームの中に分割情報が挿入されることを特徴とする、方法。
【請求項１６】
前記サポートされた分割パターンの中の前記所定の１つは、非分割モードであり、前記方法は、
前記ビットストリームの中の前記フラグが、前記現在のブロックと関連した前記符号化パラメータが統合候補に従ってセットされることになることをシグナリングする場合、
統合候補に従ってそれをセットすることによって前記現在のブロックと関連した符号化パラメータを得て、いかなる残差データもなしで、前記符号化パラメータに応じた予測信号のみに基づいて、前記画像の前記現在のブロックを符号化するように、そして、
前記ビットストリームの中の前記フラグが、前記現在のブロックと関連した前記符号化パラメータが統合候補に従ってセットされることになることをシグナリングしない場合、
前記現在のブロックのための前記サポートされた分割パターンのうちの１つをシグナリングする前記ビットストリームの中に前記分割情報を挿入し、
前記ビットストリームに前記現在のブロックのための残差データを挿入し、
前記現在のブロックの前記シグナリングされたサポートされた分割パターンの各サブブロックに関して、それをシグナリングする前記ビットストリームに他のフラグを挿入し、他のフラグに応じて、
統合候補に従ってそれをセットすることによって前記各サブブロックと関連した符号化パラメータが得られる、または、
前記ビットストリームに、前記各サブブロックと関連した前記符号化パラメータが挿入され、
各サブブロックの前記符号化パラメータに応じた予測信号および前記残差データに基づいて、前記画像の前記現在のブロックを符号化することを含むことを特徴とする、請求項１５に記載の方法。
【請求項１７】
前記画像は、深度マップを特定する付加的な補助サンプルアレイと関連することを特徴とする、請求項１５または１６に記載の方法。
【請求項１８】
画像（２０）が中に符号化されるデータ（３０）を記憶するデジタル記憶媒体であって、ブロックに分割される前記画像のサンプル配列は、復号可能であり、前記データは、現在のブロックに関し、前記現在のブロックと関連した前記符号化パラメータが、統合候補に従って統合によりセットされることになるか、または、前記データ（３０）から取り出されることになるかについての第１の決定および、前記画像（２０）の前記現在のブロック（４０）が、いかなる残差データもなしで、前記現在のブロック（４０）と関連した前記符号化パラメータに応じた予測信号のみに基づいて再構築されることになるか、または、前記データ（３０）の中の残差データによって、前記現在のブロック（４０）と関連した前記符号化パラメータに応じた前記予測信号をリファインすることによって再構築されることになるか、についての第２の決定に関し共通にシグナリングするフラグを含み、
前記データ（３０）の中の前記フラグが、前記現在のブロック（４０）と関連した前記符号化パラメータが統合候補に従ってセットされることになることをシグナリングする場合、
前記現在のブロック（４０）と関連した前記符号化パラメータが統合候補に従ってそれをセットすることによって得られ、いかなる残差データもなしで、前記符号化パラメータに応じた予測信号のみに基づいて前記画像（２０）の現在のサンプルセット（４０）を再構築し、かつ、
サポートされた分割パターンの中の所定の１つが、前記現在のサンプルセットに適用され、
前記データの中の前記フラグが、前記現在のサンプルセットと関連した前記符号化パラメータが統合候補に従ってセットされることになることをシグナリングしない場合、
前記データは、前記現在のサンプルセットのための前記サポートされた分割パターンの１つをシグナリングする分割情報を含む、ことを特徴とする、デジタル記憶媒体。
【請求項１９】
前記画像は、深度マップを特定する付加的な補助サンプルアレイと関連することを特徴とする、請求項１８に記載のデジタル記憶媒体。
【請求項２０】
ビットストリーム（３０）に画像（２０）を符号化するための方法であって、前記画像（２０）の前記サンプル配列は、ブロック（４０）に分割され、前記方法は、前記方法を実行するようにプログラムされたコンピュータにより実行され、前記方法は、現在のブロックに関して、前記現在のブロック（４０）と関連した符号化パラメータが、統合候補に従って統合によりセットされることになるか、または、前記ビットストリーム（３０）から取り出されることになるかに関して、および、前記画像（２０）の前記現在のブロック（４０）が、いかなる残差データもなしで、前記現在のブロック（４０）と関連した前記符号化パラメータに応じた予測信号のみに基づいて、再構築されることになるか、または、前記ビットストリーム（３０）の中の残差データによって、前記現在のブロック（４０）と関連した前記符号化パラメータに応じた前記予測信号をリファインすることによって、再構築されることになるかに関して、共通にシグナリングする前記ビットストリームの中のフラグを符号化するステップを含み、
その結果、
前記ビットストリーム（３０）の中の前記フラグが、前記現在のブロック（４０）と関連した前記符号化パラメータが統合候補に従ってセットされることになることをシグナリングする場合、
統合候補に従って前記現在のブロック（４０）と関連した前記符号化パラメータがセットされるように統合が実行され、かつ、いかなる残差データもなしで、前記符号化パラメータに応じた予測信号のみに基づいて前記画像（２０）の前記現在のサンプルセット（４０）を再構築し、かつ、
前記現在のサンプルセットにサポートされた分割パターンの中の所定の１つが適用され、
前記ビットストリームの中の前記フラグが、前記現在のサンプルセットと関連した前記符号化パラメータが統合候補に従ってセットされることになることをシグナリングしない場合、
前記現在のサンプルセットのための前記サポートされた分割パターンの１つをシグナリングする前記ビットストリームの中に分割情報が挿入される方法により符号化されたことを特徴とするデータストリーム。
【請求項２１】
前記画像は、付加情報として深度マップと関連付けられていることを特徴とする、請求項２０に記載のデータストリーム。
【請求項２２】
情報サンプルの前記配列は、互いに独立して符号化された前記画像の異なる平面に関連した前記サンプル配列の１つであることを特徴とする、請求項２０に記載のデータストリーム。